(57)【要約】【課題】瞬間高圧過電流による電気製品燃焼を有効的に完全阻止することを特徴とする抗電撃絶縁断電ヒューズの提供。【解決手段】本考案の抗電撃絶縁断電ヒューズにおいて、ヒューズは、二つの半円形の絶縁体によって包まれた階段状の円筒体であり、そのヒューズ両端は外方向に延伸した適当長さを持ち、且つ90度に折り曲げた後、二つの導電蓋を嵌合押圧して９０度に角を逆に折り曲げて一体嵌合固定したものであり、導電蓋両端は一般の電気スイッチヒューズケース内に嵌合し、異常な高電圧が入ってきた時に瞬時にヒューズを溶解して断電、並びに、両側の密封した絶縁材質により電流の間接的な放電、即ち空気中の電気イオンが過電流伝導をするのを阻止する故、瞬間高圧過電流による電気製品燃焼を有効的に完全阻止する安全機能を有する産業利用価値を持つ抗電撃絶縁断電ヒューズである。【選択図】図１
0003128342.tif 000002
【実用新案登録請求の範囲】
【請求項１】
ヒューズ、二つの絶縁体及び二つの導電蓋によって構成され、そのうち、ヒューズは、電気溶解可能な金属材質であり、二つの絶縁体は、それぞれ半円形階段状の絶縁材質本体であり、その二つの対応する中心線に凹設した円弧溝にヒューズを入れて包み階段円筒状にし、ヒューズを絶縁体両端の突出部に露出させたものであり、二つの導電蓋はそれぞれ丸い環状型蓋体の導電金属であり、ヒューズ両端は突出部まで延伸し９０度に折り曲げた後、二つの導電蓋を嵌合押圧して９０度に角を逆に折り曲げて一体に嵌合固定、上述の構成により、導電蓋両端を一般の電気スイッチヒューズケース内に嵌合し、異常な高電圧が入ってきた時に瞬時にヒューズを溶解して断電、並びに、両側の密封した絶縁体が空気中の電気イオンを完全に阻止する為、瞬間高電圧が間接的に空気中の電気イオンによって過電流伝導されるのを抑止し、瞬間高圧過電流による電気製品燃焼を有効的に完全阻止するという安全性保証を持つことを特徴とする抗電撃絶縁断電ヒューズ。
【考案の詳細な説明】
【技術分野】
【０００１】
本考案は、瞬間高圧過電流による電気製品燃焼を有効的に完全阻止することを特徴とする抗電撃絶縁断電ヒューズである。
【背景技術】
【０００２】
一般の電子製品を使用する場合、電器製品の差込プラグを直接電源に嵌挿するのが常であり、直列マルチ延長コードでさえもまた同一電源に差し込むこともあるが、この種の高電流使用方式に隠されている電線の発火危険を耳にすることがよくある。現在の業者は差込み内にヒューズを設けて、電線の温度超過による事故を防ぐ設計にしているが、伝統的なヒューズであるガラス管ヒューズは、両端の銅蓋を嵌合、ハンダ、接着する構造で、これは図６に示すとおりであり、高温になるとヒューズを溶かし断電、安全機能を発揮する仕組みである。しかしながら、ガラスヒューズは、雷の衝撃や超高電流が瞬時に流れた場合、ガラス管の空気内の電気イオンが放電して、瞬間高電圧の間接的な過電流伝導媒介となる故、電気製品内の部品燃焼を引き起こす危険性を残すこととなり、これでは現代人の家庭生活での安全性に対する要求に符合せず、且つ、改善を多大に期待されているのが事実である。
【考案の開示】
【考案が解決しようとする課題】
【０００３】
上記課題を解決するために、本考案は、ヒューズ両端を外方向に90度に折り曲げた後、二つの導電蓋を嵌合押圧して90度に角を逆に折り曲げて一体に嵌合固定することにより、異常な高電圧が入ってきた時に瞬時にヒューズを溶解して断電、瞬間高圧過電流を完全に阻止するという安全性保証効果を持つことを特徴とする抗電撃絶縁断電ヒューズの提供を主な目的とする。
【０００４】
また、二つの半円状の絶縁体は、完全な絶縁材質本体であり、両側の密封した絶縁材質は、電流が間接的に空気中の電気イオンによって過電流伝導するのを阻止する為、瞬間高圧過電流による電気製品燃焼を有効的に完全阻止するという安全性効果を持つことを特徴とする抗電撃絶縁断電ヒューズの提供を次の目的とする。
【０００５】
更に、絶縁体の両側の絶縁材質はその厚さを増加可能であり、高電圧電流が外側からもう一端の導電蓋に伝導されるのを防止して、完全に抗電撃絶縁断電ヒューズの効果を発揮することを特徴とする抗電撃絶縁断電ヒューズの提供を別の目的とする。
【課題を解決するための手段】
【０００６】
請求項１の考案は、ヒューズ、二つの絶縁体及び二つの導電蓋によって構成されており、その内、ヒューズは、電気溶解可能な金属材質であり、二つの絶縁体は、それぞれ半円形階段状の絶縁材質本体であり、その二つの対応する中心線に凹設した円弧溝にヒューズを入れて包み階段円筒状にし、ヒューズを絶縁体両端の突出部に露出させたものであり、二つの導電蓋はそれぞれ丸い環状型蓋体の導電金属であり、ヒューズ両端は突出部まで延伸し９０度に折り曲げた後、二つの導電蓋を嵌合押圧して90度に角を逆に折り曲げて一体に嵌合固定、上述の構成により、導電蓋両端を一般の電気スイッチヒューズケース内に嵌合し、異常な高電圧が入ってきた時に瞬時にヒューズを溶解して断電、並びに、両側の密封した絶縁体が空気中の電気イオンを完全に阻止する為、瞬間高電圧が間接的に空気中の電気イオンによって過電流伝導されるのを抑止し、瞬間高圧過電流による電気製品燃焼を有効的に完全阻止するという安全性保証を持つことを特徴とする抗電撃絶縁断電ヒューズであることを特徴とする抗電撃絶縁断電ヒューズとしている。
【考案の効果】
【０００７】
以上説明したように、本考案の抗電撃絶縁断電ヒューズは、瞬間高圧過電流による電気製品燃焼を有効的に完全阻止することを特徴とする。
【考案を実施するための最良の形態】
【０００８】
図１〜３に示すとおり、本考案の抗電撃絶縁断電ヒューズにおいて、ヒューズ１は、電気溶解可能な金属材質であり、二つの絶縁体２、２Ａは、それぞれ半円形階段状の絶縁材質本体であり、その二つの対応する中心線に凹設した円弧溝２１、２１Ａにヒューズ１を入れて包み階段円筒状にし、ヒューズ１を絶縁体２、２Ａ両端の突出部２３、２３３に露出させる。二つの導電蓋３、３Ａはそれぞれ、丸い環状型の蓋体の導電金属である。ヒューズ１両端は突出部２３、２３３まで延伸し90度に折り曲げた後、二つの導電蓋３、３Ａを嵌合押圧して90度に角を逆に折り曲げて一体に嵌合固定するのが本案の主な構造特徴である。
【０００９】
本考案の実施例は、図４〜図５に示すとおりであり、導電蓋３、３Ａ両端は一般の電気スイッチヒューズケース内に嵌合され、異常な高電圧が入ってきた時に瞬時にヒューズを溶解して断電、並びに、両側の密封した絶縁体２、２Ａが空気中の電気イオンを完全に阻止する為、瞬間高電圧が間接的に空気中の電気イオンによって過電流伝導されるのを抑止し、瞬間高圧過電流による電気製品燃焼を有効的に完全阻止するという安全性保証を有した産業利用価値を持つ抗電撃絶縁断電ヒューズである。
【図面の簡単な説明】
【００１０】
【図１】本考案の良好な実施例図である。
【図２】本考案の部品分解図である。
【図３】本考案の部品組立図である。
【図４】本考案の導電蓋をヒューズケース内に嵌合した表示図である。
【図５】本考案の絶縁体が過電流伝導を阻止した効果図である。
【図６】公知技術のヒューズが空気中の電気イオンによって間接的に過電流伝導している状態の表示図である。
【符号の説明】
【００１１】
１      ヒューズ
２、２Ａ      絶縁体
２１、２１Ａ    円弧溝
２３、２３３    突出部
３、３Ａ      導電蓋
【図１】
0003128342.tif 000003
【図２】
0003128342.tif 000004
【図３】
0003128342.tif 000005
【図４】
0003128342.tif 000006
【図５】
0003128342.tif 000007
【図６】
0003128342.tif 000008